(57)【要約】【課題】被覆電線に引張方向の力が作用しても、雌端子が雄端子から外れないワイヤハーネスを提供する。【解決手段】端子接続部に対して導通可能に締結される締結部１１と、締結部１１に一体のバスバー部１２とを備えた接続金具１０であって、バスバー部１２は、接続部１２ａと、接続部１２ａから突出し、かつ電線Ｗの端部に装着した雌端子１２ｅがそれぞれ嵌着される複数の雄端子１２ｂと、電線Ｗの所定個所が粘着テープ１５の巻き付けによって固定される電線固定部１２ｄと、を有している。【選択図】図２
2016146243.tif 000002
【特許請求の範囲】
【請求項１】
雌端子を端部に装着した複数の被覆電線と、前記複数の被覆電線と接続した接続金具と、を備えたワイヤハーネスであって、
前記接続金具は、相手側電気部品に対して導通可能に締結される締結部と、前記締結部に一体のバスバー部と、を含み、
前記バスバー部は、複数の雄端子を互いに略平行にかつ起立状態に有する接続部と、前記複数の雄端子のそれぞれに対し前記各被覆電線を取り回しできる距離だけ離れて設けられている電線固定部と、を有し、
前記各雌端子が所要に対応する前記各雄端子に接続され、前記各雌端子に続く前記各被覆電線の近傍部分が前記電線固定部に並んで密着して通過するように配索され、
前記電線固定部と前記複数の被覆電線との密着部に粘着テープを巻き付けてなるテープ巻き固定部を有することを特徴とするワイヤハーネス。
【請求項２】
前記電線固定部は、前記複数の被覆電線が前記雄端子の突出方向に対して略直交する方向に向きを変えた位置で、前記複数の被覆電線と密着するよう設けられていることを特徴とする請求項１に記載のワイヤハーネス。
【請求項３】
前記電線固定部は、前記複数の被覆電線が前記複数の雄端子の集まりの一側方に寄ってから前記雄端子の突出方向に延びる位置で、前記複数の被覆電線と密着するよう設けられていることを特徴とする請求項１に記載のワイヤハーネス。
【請求項４】
前記接続部は、切起こしにより前記複数の雄端子を備えていることを特徴とする請求項１ないし３のいずれか１項に記載のワイヤハーネス。
【請求項５】
前記接続部は、千鳥配列となる位置に切起こしにより前記複数の雄端子を備えていることを特徴とする請求項１ないし３のいずれか１項に記載のワイヤハーネス。
【発明の詳細な説明】
【技術分野】
【０００１】
本発明は、ワイヤハーネスに関する。
【背景技術】
【０００２】
従来、複数の雄端子を有し、被覆電線の端部に装着された雌端子を雄端子に接続させるようにしたアース接続構造が知られている（例えば、特許文献１参照）。
【０００３】
図７に示すように、特許文献１に記載されたアース接続構造は、複数の雄端子１０１を接続板１０２に一列に並ぶように突出させたアース接続部材１０３を有しており、アース接続部材１０３をボックス１０４に収容して、被覆電線１０５の端部に装着された雌端子１０６を雄端子１０１に嵌着させている。
【先行技術文献】
【特許文献】
【０００４】
【特許文献１】特開２００１−３５７９０８号公報
【発明の概要】
【発明が解決しようとする課題】
【０００５】
しかしながら、上述したアース接続構造は、被覆電線１０５に引張方向の力が作用すると、雌端子１０６が雄端子１０１から外れることが懸念されるという問題があった。
【０００６】
本発明は、上述のような課題を解決するためになされたもので、被覆電線に引張方向の力が作用しても、雌端子が雄端子から外れないワイヤハーネスを提供することを目的としている。
【課題を解決するための手段】
【０００７】
本発明に係るワイヤハーネスは、上記目的達成のため、雌端子を端部に装着した複数の被覆電線と、前記複数の被覆電線と接続した接続金具と、を備えたワイヤハーネスであって、前記接続金具は、相手側電気部品に対して導通可能に締結される締結部と、前記締結部に一体のバスバー部と、を含み、前記バスバー部は、複数の雄端子を互いに略平行にかつ起立状態に有する接続部と、前記複数の雄端子のそれぞれに対し前記各被覆電線を取り回しできる距離だけ離れて設けられている電線固定部と、を有し、前記各雌端子が所要に対応する前記各雄端子に接続され、前記各雌端子に続く前記各被覆電線の近傍部分が前記電線固定部に並んで密着して通過するように配索され、前記電線固定部と前記複数の被覆電線との密着部を粘着テープに巻き付けてなるテープ巻き固定部を有する構成である。
【０００８】
この構成により、本発明に係るワイヤハーネスは、電線固定部に沿うように配索された被覆電線の所定個所を、テープ巻き固定部によって電線固定部に固定するため、被覆電線に引張方向の力が作用しても、雌端子に引張力が伝わらず、雌端子が雄端子から外れない。
【０００９】
上記ワイヤハーネスにおいて、前記電線固定部は、前記複数の被覆電線が前記雄端子の突出方向に対して略直交する方向に向きを変えた位置で、前記複数の被覆電線と密着するよう設けられていることが好ましい。
【００１０】
この構成により、本発明に係るワイヤハーネスは、雄端子に雌端子を嵌着した被覆電線の所定個所を、雄端子の突出方向に対して略直交する方向に配索して電線固定部に固定するため、被覆電線に引張方向の力が作用しても、雌端子に引張力が伝わらず、雌端子が雄端子から外れない。
【００１１】
上記ワイヤハーネスにおいて、前記電線固定部は、前記複数の被覆電線が前記複数の雄端子の集まりの一側方に寄ってから前記雄端子の突出方向に延びる位置で、前記複数の被覆電線と密着するよう設けられていることが好ましい。
【００１２】
この構成により、本発明に係るワイヤハーネスは、雄端子に雌端子を嵌着した被覆電線の所定個所を、雄端子の突出方向に沿って配索して電線固定部に固定するため、被覆電線に引張方向の力が作用しても、雌端子に引張力が伝わらず、雌端子が雄端子から外れない。
【００１３】
上記ワイヤハーネスにおいて、前記接続部は、切起こしにより前記複数の雄端子を備えていることが好ましい。
【００１４】
この構成により、本発明に係るワイヤハーネスは、接続部が生産性を備えるので、製作コストを低く抑えることができる。
【００１５】
上記ワイヤハーネスにおいて、前記接続部は、千鳥配列となる位置に切起こしにより前記複数の雄端子を備えていることが好ましい。この構成により、本発明に係るワイヤハーネスは、接続部が一層小さい形成に抑えられるので、製作コストを低く抑えることができる。
【発明の効果】
【００１６】
本発明によれば、被覆電線に引張方向の力が作用しても、雌端子が雄端子から外れないワイヤハーネスを提供することができる。
【図面の簡単な説明】
【００１７】
【図１】本発明の第１の実施の形態に係るワイヤハーネスに用いる接続金具の斜視図である。
【図２】本発明の第１の実施の形態に係るワイヤハーネスの斜視図である。
【図３】本発明の第１の実施の形態に係るワイヤハーネスの概略構成図であり、（ａ）は側面図を示し、（ｂ）は（ａ）におけるＡ方向矢視図である。
【図４】本発明の第２の実施の形態に係るワイヤハーネスの概略構成図であり、（ａ）は側面図を示し、（ｂ）は（ａ）におけるＢ−Ｂ方向矢視図である。
【図５】本発明の第３の実施の形態に係るワイヤハーネスの概略構成図であり、（ａ）は側面図を示し、（ｂ）は（ａ）におけるＣ方向矢視図である。
【図６】本発明の各実施の形態に適用する接続金具における電線固定部の変形例の概略構成図である。
【図７】従来のアース接続構造の概略構成図である。
【発明を実施するための形態】
【００１８】
以下、本発明の実施の形態に係るワイヤハーネスについて、図面を参照して説明する。
【００１９】
（第１の実施の形態）
図１〜図３に示すように、本実施の形態に係るワイヤハーネス１は、八本の電線Ｗと、接続金具１０と、を備えている。接続金具１０は、締結部１１と、バスバー部１２と、を含んでいる。電線Ｗは、本発明における被覆電線に相当する。
【００２０】
締結部１１は、上下方向に貫通するボルト孔１１ａが穿設されており、ボルト孔１１ａに挿入したボルト１３を、相手側電気部品である図示しない車両ボディの端子取付部１４に締結することにより、端子取付部１４に電気的に接続されている。
【００２１】
バスバー部１２は、一端部が締結部１１に一体に連なり、ボルト孔１１ａの軸線方向に対して略直交する方向に延びる接続部１２ａと、接続部１２ａに形成され、ボルト孔１１ａの軸線方向に略平行に上向きに延びる八個の雄端子１２ｂと、一端部が接続部１２ａの他端部に一体に連なり、ボルト孔１１ａの軸線方向に略平行に上向きに延びる支持部１２ｃと、一端部が支持部１２ｃの他端部に一体に連なり、ボルト孔１１ａの軸線方向に対して略直交する方向に締結部１１とは逆向きに延びる電線固定部１２ｄとを含んでいる。すなわち、電線固定部１２ｄは、雄端子１２ｂの突出方向に対して略直交する方向に延びるように構成されている。
【００２２】
雄端子１２ｂは、接続部１２ａにプレス加工により接続部１２ａの幅方向に四個ずつ、二列にわたって上向きに切り起されており、電線Ｗの端部に装着した雌端子１２ｅが嵌着される。接続部１２ａの幅方向に互いに隣接する雄端子１２ｂは、千鳥配列一方が接続部１２ａの一端側（締結部１１側）を基部とするように切り起され、他方が接続部１２ａの他端側（電線固定部１２ｄ側）を基部とするように切り起されている。すなわち、接続部１２ａは、千鳥配列となる位置に切起こした複数の雄端子１２ｂを有している。
【００２３】
接続部１２ａは、八個の雄端子１２ｂを互いに略平行にかつ起立状態に有している。また、電線固定部１２ｄは、複数の雄端子１２ｂのそれぞれに対して各電線Ｗを取り回しできる距離だけ離れて設けられている。さらに、電線固定部１２ｄは、八本の電線Ｗが雄端子１２ｂの突出方向に対して略直交する方向に向きを変えた位置で、八本の電線Ｗと密着するよう設けられている。
【００２４】
八本の電線Ｗは、所定個所が電線固定部１２ｄに沿って電線固定部１２ｄの幅方向に並んで配索されている。さらに、粘着テープ１５を八本の電線Ｗの所定個所および電線固定部１２ｄに巻き付けて、八本の電線Ｗを電線固定部１２ｄに固定するテープ巻き固定部Ｔを形成している。
【００２５】
本実施の形態に係るワイヤハーネス１は、雄端子１２ｂに雌端子１２ｅを嵌着した電線Ｗの所定個所を、雄端子１２ｂの突出方向に対して略直交する方向に延びる電線固定部１２ｄに沿うように配索し、電線Ｗの所定個所および電線固定部１２ｄに粘着テープ１５を巻き付けることにより形成したテープ巻き固定部Ｔによって電線固定部１２ｄに固定するため、電線Ｗに引張方向の力が作用しても、雌端子１２ｅに引張力が伝わらず、雌端子１２ｅが雄端子１２ｂから外れない。
【００２６】
（第２の実施の形態）
図４に示すように、本実施の形態に係るワイヤハーネス１Ａは、八本の電線Ｗと、接続金具１０Ａと、を備えている。接続金具１０Ａは、締結部１１と、バスバー部１２Ａと、を含んでいる。
【００２７】
締結部１１は、図１〜図３に示すもの同様に、ボルト孔１１ａに挿入したボルト１３を、図示しない車両ボディの端子取付部１４に締結することにより、端子取付部１４に電気的に接続されている。
【００２８】
バスバー部１２Ａは、一端部が締結部１１に一体に連なり、ボルト孔１１ａの軸線方向に沿って上向きに延びる接続部１２ｆと、接続部１２ｆに形成され、ボルト孔１１ａの軸線方向に対して略直交する方向に締結部１１とは逆向きに延びる八個の雄端子１２ｇと、一端部が接続部１２ｆの他端部に一体に連なり、ボルト孔１１ａの軸線方向に対して略平行に締結部１１とは逆向きに延びる電線固定部１２ｈとを含んでいる。すなわち、電線固定部１２ｈは、雄端子１２ｇの突出方向に略平行に延びるように構成されている。
【００２９】
雄端子１２ｇは、接続部１２ｆにプレス加工により接続部１２ｆの幅方向に二個ずつ、四列にわたって締結部１１とは逆向きに切り起されており、電線Ｗの端部に装着した雌端子１２ｅが嵌着される。
【００３０】
接続部１２ｆは、八個の雄端子１２ｇを互いに略平行にかつ起立状態に有している。また、電線固定部１２ｈは、複数の雄端子１２ｇのそれぞれに対して各電線Ｗを取り回しできる距離だけ離れて設けられている。さらに、電線固定部１２ｈは、八本の電線Ｗが複数の雄端子１２ｇの集まりの一側方に寄ってから雄端子１２ｂの突出方向に延びる位置で、八本の電線Ｗと密着するよう設けられている。
【００３１】
八本の電線Ｗは、所定個所が電線固定部１２ｈに沿って電線固定部１２ｈの幅方向に並んで配索されている。さらに、粘着テープ１５を八本の電線Ｗの所定個所および電線固定部１２ｈに巻き付けて、八本の電線Ｗを電線固定部１２ｈに固定するテープ巻き固定部ＴＡを形成している。
【００３２】
本実施の形態に係るワイヤハーネス１Ａは、雄端子１２ｇに雌端子１２ｅを嵌着した電線Ｗの所定個所を、雄端子１２ｇの突出方向に略平行に延びる電線固定部１２ｈに沿うように配索し、電線Ｗの所定個所および電線固定部１２ｄに粘着テープ１５を巻き付けることにより形成したテープ巻き固定部ＴＡによって電線固定部１２ｈに固定するため、電線Ｗに引張方向の力が作用しても、雌端子１２ｅに引張力が伝わらず、雌端子１２ｅが雄端子１２ｇから外れない。
【００３３】
（第３の実施の形態）
図５に示すように、本実施の形態に係るワイヤハーネス１Ｂは、八本の電線Ｗと、接続金具１０Ｂと、を備えている。接続金具１０Ｂは、締結部１１と、バスバー部１２Ｂと、を含んでいる。
【００３４】
締結部１１は、図１〜図３に示すもの同様に、ボルト孔１１ａに挿入したボルト１３を、図示しない車両ボディの端子取付部１４に締結することにより、端子取付部１４に電気的に接続されている。
【００３５】
バスバー部１２Ｂは、一端部が締結部１１に一体に連なり、ボルト孔１１ａの軸線方向に略平行に上向きに延びる電線固定部１２ｉと、一端部が電線固定部１２ｉの他端部に一体に連なり、ボルト孔１１ａの軸線方向に対して略直交する方向に締結部１１とは逆向きに延びる接続部１２ｊと、接続部１２ｊに形成され、ボルト孔１１ａの軸線方向に略平行に下向きに延びる八個の雄端子１２ｋとを含んでいる。すなわち、電線固定部１２ｉは、雄端子１２ｋの突出方向に略平行に延びるように構成されている。
【００３６】
雄端子１２ｋは、接続部１２ｊにプレス加工により接続部１２ｊの幅方向に四個ずつ、二列にわたって下向きに切り起されており、電線Ｗの端部に装着した雌端子１２ｅが嵌着される。接続部１２ｊの幅方向に互いに隣接する雄端子１２ｋは、一方が接続部１２ｊの一端側（締結部１１側）を基部とするように切り起され、他方が接続部１２ｊの他端側（反締結部側）を基部とするように切り起されている。すなわち、接続部１２ｊは、千鳥配列となる位置に切起こした複数の雄端子１２ｋを有している。
【００３７】
接続部１２ｊは、八個の雄端子１２ｋを互いに略平行にかつ起立状態に有している。また、電線固定部１２ｉは、複数の雄端子１２ｋのそれぞれに対して各電線Ｗを取り回しできる距離だけ離れて設けられている。さらに、電線固定部１２ｉは、八本の電線Ｗが雄端子１２ｂの突出方向に対して略直交する方向に向きを変えた位置で、八本の電線Ｗと密着するよう設けられている。
【００３８】
八本の電線Ｗは、所定個所が電線固定部１２ｉに沿って電線固定部１２ｉの幅方向に並んで配索されている。さらに、粘着テープ１５を八本の電線Ｗの所定個所および電線固定部１２ｉに巻き付けて、八本の電線Ｗを電線固定部１２ｉに固定するテープ巻き固定部ＴＢを形成している。
【００３９】
本実施の形態に係るワイヤハーネス１Ｂは、雄端子１２ｋに雌端子１２ｅを嵌着した電線Ｗの所定個所を、雄端子１２ｋの突出方向に略平行に延びる電線固定部１２ｉに沿うように配索し、電線Ｗの所定個所および電線固定部１２ｉに粘着テープ１５を巻き付けることにより形成したテープ巻き固定部ＴＢによって電線固定部１２ｉに固定するため、電線Ｗに引張方向の力が作用しても、雌端子１２ｅに引張力が伝わらず、雌端子１２ｅが雄端子１２ｋから外れない。
【００４０】
（変形例）
図６は、前述した接続金具１０，１０Ａ，１０Ｂに適用する変形例としての電線固定部１２ｘであり、この電線固定部１２ｘは、基端側（右側）部分に比べて先端側（左側）の幅寸法が狭くなる平面形状を有し、先端部に幅方向両側に向けて突出するテープ抜け止め防止部１２ｙが形成されており、テープ抜け止め防止部１２ｙによって電線固定部１２ｘの狭幅部分１２ｚおよび電線に巻き付けた粘着テープが電線固定部１２ｘから抜け出すことを防止する。
【００４１】
以上説明したように、本発明に係るワイヤハーネスは、被覆電線に引張方向の力が作用しても、雌端子が雄端子から外れないという効果を有し、ワイヤハーネス全般に有用である。
【符号の説明】
【００４２】
１，１Ａ，１Ｂ  ワイヤハーネス
１０，１０Ａ，１０Ｂ  接続金具
１１  締結部
１２，１２Ａ，１２Ｂ  バスバー部
１２ａ，１２ｆ，１２ｊ  接続部
１２ｂ，１２ｇ，１２ｋ  雄端子
１２ｄ，１２ｈ，１２ｉ，１２ｘ  電線固定部
１２ｅ  雌端子
１４  端子取付部（相手側電気部品）
１５  粘着テープ
Ｔ，ＴＡ，ＴＢ  テープ巻き固定部
Ｗ  電線（被覆電線）
【図１】
2016146243.tif 000003
【図２】
2016146243.tif 000004
【図３】
2016146243.tif 000005
【図４】
2016146243.tif 000006
【図５】
2016146243.tif 000007
【図６】
2016146243.tif 000008
【図７】
2016146243.tif 000009